(57)【要約】【課題】商品またはケース等の物品にラベルの端部を貼り付けて該ラベルが商品等から突出した直立状態で表示し得る表示ラベルであって、製作を容易なものとし、しかも綺麗な状態で目立つように表示し得る貼付け用表示ラベルを提供する。【解決手段】ラベル１の裏側全面に設けられた接着面２に剥離可能に貼り付けられた台紙３が該ラベル１の表示部４と接着部５との境界６に対応した切り離し線７で分離可能にされ、該ラベル１を使用する際に、前記表示部４側の接着面２に貼り付けられた台紙３aは剥さずに残した状態にする一方、前記接着部５側の台紙３bを剥すことによって露呈した接着部５側の接着面２を商品またはケース等の物品１０の端部に貼り付けることによって該ラベル１の表示部４を前記物品１０から突出した直立状態で表示するようにした。【選択図】図７
2005084390.tif 000002
【特許請求の範囲】
【請求項１】
ラベルの裏側全面に設けられた接着面に剥離可能に貼り付けられた台紙が該ラベルの表示部と接着部との境界に対応した切り離し線で分離可能にされ、該ラベルを使用する際に、前記表示部側の接着面に貼り付けられた台紙は剥さずに残した状態にする一方、前記接着部側の台紙を剥すことによって露呈した接着部側の接着面を商品またはケース等の物品の端部に貼り付けることによって該ラベルの表示部を前記物品から突出した直立状態で表示するようにしたことを特徴とする貼付け用表示ラベル。
【請求項２】
前記ラベルの裏側全面に粘着性を経時的に維持し得る張り替え可能な接着材が塗布されていることを特徴とする請求項１記載の貼付け用表示ラベル。
【請求項３】
前記ラベルは透明であって、該ラベルの表示部の表面に印刷が施されていることを特徴とする請求項１または２記載の貼付け用表示ラベル。
【請求項４】
複数のラベルを配列した状態で各ラベルを分離可能にする切り離し線が設けられたラベル基材と該ラベル基材の裏側全面に設けられた接着面に台紙用基材が剥離可能に貼り付けられ、該台紙用基材には各ラベルの表示部に対応した表示部側台紙を分離可能にする切り離し線が形成されてなり、前記台紙用基材の表示部側台紙を各ラベルの表示部の接着面に貼り付けた状態で各ラベルを前記ラベル基材から切り離すことによって露呈した各ラベルの接着部側の接着面を商品またはケース等の物品の端部に貼り付けることにより、該ラベルの表示部を前記物品から突出した直立状態で表示するようにしたことを特徴とする貼付け用表示ラベル。
【請求項５】
前記ラベル基材の裏側全面に粘着性を経時的に維持し得る張り替え可能な接着材が塗布されていることを特徴とする請求項４記載の貼付け用表示ラベル。
【請求項６】
前記ラベル基材は透明であって、各ラベルの表示部の表面に印刷が施されていることを特徴とする請求項４または５記載の貼付け用表示ラベル。
【発明の詳細な説明】
【技術分野】
【０００１】
本発明は、商品またはケース等の物品にラベルの端部を貼り付けて該ラベルが商品等から突出した状態で表示されるようにした貼付け用表示ラベルに関するものである。
【背景技術】
【０００２】
従来から、商品やケース等の物品にその商品の価格や内容等を直接印刷することによって表示するほか、印刷を施したラベルを商品やケース等の物品に貼り付けることによって表示する場合がある。
【０００３】
このような貼り付けタイプのラベルは、通常、所定の印刷を施したラベルの裏面に接着材を設けて商品やケース等の物品に貼り付けるようにしたものであるが、そのなかにラベルの一部を物品に貼り付けることによって表示部を物品から突出した状態で表示するようにしたタイプのものがある。
【０００４】
その例として、下記の特許文献１がある。この文献に記載された発明は、タグ３０に表示した価格の値引きを表示するためのタグ用値引きシール３１であって、タグ３０に貼り付け可能な透明基材から構成したシール本体３２と、このシール本体３２をタグ３０の裏面から貼り付け可能とする貼り付け領域３３と、この貼り付け領域３３とは異なるシール本体３２の面において逆印刷により値引き情報を表示した値引き表示領域３４とを有することを特徴とするものである。
【特許文献１】特開２００３−２４１６６３号公報（第１、２頁、図１）
【発明の開示】
【発明が解決しようとする課題】
【０００５】
ところで、上記のタグ用値引きシール３１は、タグ３０に一部の貼り付け領域３３を貼り付けて値引き等の情報を表示するためのものであり、タグ３０の端部に貼り付けるための部分的な貼り付け領域３３のほかは接着剤を設けない表示領域３４としてある。しかも表示領域３４の撓みを防止して直立状態を保持し得る工夫が施されていないため、仮にこのタグ用値引きシール３１を物品の上端に貼り付け領域３３で貼り付けて表示領域３４を物品から突出した直立状態で表示した場合、表示領域３４が撓んで見栄えを悪くしたり、この撓みのために表示領域３４の表示が不完全になるという問題が生じる。
【０００６】
本発明は、上記の事情に鑑みてなされたもので、商品またはケース等の物品にラベルの端部を貼り付けて該ラベルが商品等から突出した直立状態で表示し得る表示ラベルであって、製作を容易なものとし、しかも綺麗な状態で目立つように表示し得る貼付け用表示ラベルを提供することを目的とする。
【課題を解決するための手段】
【０００７】
上記の目的を達成するために、本発明の請求項１の貼付け用表示ラベルは、ラベルの裏側全面に設けられた接着面に剥離可能に貼り付けられた台紙が該ラベルの表示部と接着部との境界に対応した切り離し線で分離可能にされ、該ラベルを使用する際に、前記表示部側の接着面に貼り付けられた台紙は剥さずに残した状態にする一方、前記接着部側の台紙を剥すことによって露呈した接着部側の接着面を商品またはケース等の物品の端部に貼り付けることによって該ラベルの表示部を前記物品から突出した直立状態で表示するようにしたことを特徴とする。
【０００８】
また、本発明の請求項２の発明は、請求項１において、前記ラベルの裏側全面に粘着性を経時的に維持し得る張り替え可能な接着材が塗布されていることを特徴とする。
【０００９】
また、本発明の請求項３の発明は、請求項１または２において、前記ラベルは透明であって、該ラベルの表示部の表面に印刷が施されていることを特徴とする。
【００１０】
また、本発明の請求項４の貼付け用表示ラベルは、複数のラベルを配列した状態で各ラベルを分離可能にする切り離し線が設けられたラベル基材と該ラベル基材の裏側全面に設けられた接着面に台紙用基材が剥離可能に貼り付けられ、該台紙用基材には各ラベルの表示部に対応した表示部側台紙を分離可能にする切り離し線が形成されてなり、前記台紙用基材の表示部側台紙を各ラベルの表示部の接着面に貼り付けた状態で各ラベルを前記ラベル基材から切り離すことによって露呈した各ラベルの接着部側の接着面を商品またはケース等の物品の端部に貼り付けることにより、該ラベルの表示部を前記物品から突出した直立状態で表示するようにしたことを特徴とする。
【００１１】
また、本発明の請求項５の発明は、請求項４において、前記ラベル基材の裏側全面に粘着性を経時的に維持し得る張り替え可能な接着材が塗布されていることを特徴とする。
【００１２】
さらに、本発明の請求項６の発明は、請求項４または５において、前記ラベル基材は透明であって、各ラベルの表示部の表面に印刷が施されていることを特徴とする。
【発明の効果】
【００１３】
本発明の貼付け用表示ラベルは、ラベルの裏側全面に設けられた接着面に剥離可能に貼り付けられた台紙が該ラベルの表示部と接着部との境界に対応した切り離し線で分離可能なものとされているため、該ラベルを使用するには、ラベルの接着部側の台紙を剥すことによって露呈した接着部側の接着面を物品の端部に貼り付けることにより、該ラベルの表示部を物品から突出した直立状態で表示することが可能となる。
【００１４】
従って、従来のように、ラベルを物品の面に貼り付けるだけではなく、物品から上方に突出した状態で立体的に表示することができ、他の物品から目立った状態での表示が可能となる。特に、このラベルを小さな物品に貼り付けた場合、この物品から高い位置に目立った状態で表示し得る貼付け用表示ラベルとすることが可能となる。
【００１５】
また、本発明のラベルの裏側全面には粘着性を経時的に保つ張り替え可能な接着材が塗布されているため、ラベルの張り替えが可能であって、粘着力が維持される限り何度でも他の物品に移動して貼り付けることが可能となる。
【００１６】
また、このような表示状態において、ラベルの接着部側の接着面が物品の端部に貼り付けられる一方、ラベルの表示部側の接着面には台紙が剥がされずに張り付けられた状態を維持するため、この台紙で上記のようにラベルの表示部が物品から突出して直立している状態を補強することによって、表示部の撓み防止とすることができる。
【００１７】
さらに、本発明においては複数のラベルを配列した状態で各ラベルを分離可能にする切り離し線が設けられたラベル基材と該ラベル基材の裏側全面に設けられた接着面の全面に台紙用基材が剥離可能に貼り付けられ、該台紙用基材には前記配列状態の各ラベルの表示部に対応した表示部側台紙を分離可能にする切り離し線が形成された構成にすると、１枚のラベル基材から複数枚のラベルを作成することができ、これによって製作上の効率を図り、コストダウンにも有益となる。
【発明を実施するための最良の形態】
【００１８】
以下、本発明の実施例について図面を参照しながら説明する。
【実施例１】
【００１９】
本実施例の貼付け用表示ラベルは単体のラベルとして構成されたものである。その構成は、図１または図２に示すように、ラベル１の裏側全面に設けられた接着面２に剥離可能に貼り付けられた台紙３が該ラベル１の表示部４と接着部５との境界６に対応した切り離し線７で切り離し可能にされているものである。
【００２０】
ここで、ラベル１の構成材料は、ラベル１の表示部４が撓まずに直立状態を保つように、ある程度の弾性を有する合成樹脂材料を使用するのが好ましく、そのような材料として、例えば、透明のPET（ポリエチレンテレフタレート）等を用いるとよい。
【００２１】
このラベル１の表面の大部分には必要な情報が予め印刷された表示部４が形成され、その他の部分は接着部５とされ、後述するように裏側の接着面２を露出すべき個所である。この表示部４に施す印刷方法はプリプリントで行い、バーコード、プライス、品名、ロットNO、その他の印刷を施しておくことができる。
【００２２】
なお、本実施例においては、ラベル１の材料として透明の合成樹脂材を使用し、しかも接着部５に印刷を施さないことによって該接着部５が透視可能とされているが、この接着部５の領域に印刷を施すかどうかは、表示部４の印刷内容のデザイン的な要素によって決定すべき事柄であり、接着部５の表面に印刷が施されることがあっても差し支えない。
【００２３】
また、このラベル１の構成材料として透明の合成樹脂材料を使用することにより、印刷を施さない部分は透視可能となり、接着部５の透明材料を透視して物品１０の表面が外方から見える状態となるが、本発明においては、ラベル１の構成材料を必ずしも透明材料に限定する必要はない。
【００２４】
また、ラベル１の裏側全面に設けられた接着面２には粘着性を経時的に維持し得る張り替え可能な接着材を用いるのが好ましい。
【００２５】
さらに、図１に示すように、台紙３は剥離紙を用いてラベル１と同形状に形成し、その台紙５のうちラベル１の表示部４と接着部５との境界６に対応した切り離し線７で分離可能に形成されている。
【００２６】
上記のように構成された貼付け用表示ラベルのラベル１を使用するには、図２(a)及び(b)に示すように、ラベル１の表示部４側の接着面２に貼り付けられた表示部側台紙３aは剥さずに残した状態にする一方、切り離し線７を境にして接着部側台紙３bを剥すことによって露呈した接着部５側の接着面２を、図７に示すように、商品またはケース等の物品１０の端部に貼り付ける。
【００２７】
この図７に示すラベル１は、上記のようにラベル１の下方側に設けた接着部側台紙３bを剥すことによって露呈した接着部５側の接着面２を物品１０の上端部に貼り付けたもので、該ラベル１の表示部４を物品１０から上方に突出した直立状態で表示することが可能となる。
【００２８】
また、このような表示状態において、ラベル１の接着部５側の接着面２は物品１０の上端部に貼り付けられる一方、ラベル１の表示部４側の接着面２には表示部側台紙３aが剥がされずに張り付けられた状態を保っているため（図２(b)参照）、ラベル１の表示部４が直立状態を保って撓まないように補強する効果を有し、該表示部４が物品１０の上方から真っ直ぐに立った状態を継続的に保持することが可能となる。
【実施例２】
【００２９】
上記の実施例は単体のラベルについての具体例であるが、このラベルの生産効率を向上するものとして、本実施例がある。即ち、図３に示すように、複数のラベル１、１…を配列した状態で各ラベル１を分離可能にする切り離し線１１が設けられたラベル基材１２と該ラベル基材１２の裏側全面に設けられた接着面２に台紙用基材１３が剥離可能に貼り付けられる構成を有する。
【００３０】
この台紙用基材１３には上記のように配列された状態の各ラベル１の表示部４に対応した表示部側台紙３aを分離可能にする切り離し線１５が形成されている。
【００３１】
上記の構成において、ラベル基材１２の裏側全面に設けられた接着面２に台紙用基材１３を貼り付けて両者を合致すると、図４(a)、(b)に示す状態となって、各ラベル１の表示部４と台紙用基材１３の各表示部側台紙３aとが合致して互いに接着状態となるが、各ラベル１の接着部５は切り離し線１５の外側の領域、即ち台紙用基材１３の一部（実施例２の接着部側台紙３bに相当する）に貼り付けられた状態となる。
【００３２】
そこで、本実施例において、各ラベル１を使用するには、図５(a)及び(b)に示すように、ラベル基材１２から各ラベル１を分離する際、表示部側台紙３aは表示部４側から剥さずに残した状態にして単一のラベル１を取り出すと、図５(b)または図６(a)、(b)に示すように、接着部５の裏面の接着面２が露出するため、図７に示すように、ラベル１の接着部５側の接着面２を商品またはケース等の物品１０の端部に貼り付けることができ、ラベル１の表示部４を物品１０から上方に突出した直立状態で表示することができる。
【００３３】
このような表示状態において、上記実施例と同様に、ラベル１の表示部４側の裏面には表示部側台紙３aが剥がされずに張り付けられた状態を保っているため（図６(b)参照）、ラベル１の表示部４が直立状態を保つ撓み防止効果を有し、該表示部４が物品１０の上方から真っ直ぐに立った状態を継続的に保持することが可能となる。
【産業上の利用可能性】
【００３４】
以上説明した本発明の貼付け用表示ラベルは、種々の商品や該商品を収容したケースを展示する際に利用でき、例えばこれらの物品の正面の上端部に沿ってラベルの接着部を貼り付けることによって物品の上方に突出した表示部を直立した状態で表示することができ、該ラベルの表示部が他の物品から目立った状態で表示可能となり、商品のアピール性がより向上するものである。
【図面の簡単な説明】
【００３５】
【図１】本発明の実施例１による貼付け用表示ラベルをラベルと台紙に分解した正面図である。
【図２】(a)は本発明の実施例１による貼付け用表示ラベルからラベルの接着部側の台紙を剥した状態を示す正面図であり、(b)は図２(a)のA−A矢視線断面図である。
【図３】本発明の実施例２による貼付け用表示ラベルをラベル基材と台紙用基台に分解した正面図である。
【図４】(a)は本発明の実施例２による貼付け用表示ラベルの正面図であり、(b)は図４(a)のB−B矢視線断面図である。
【図５】(a)は本発明の実施例２による貼付け用表示ラベルから一部のラベルを剥した状態を示す正面図であり、(b)は図５(a)のC−C矢視線断面図である。
【図６】(a)は本発明の実施例２による単体のラベルの正面図であり、(b)は図６(a)のD−D矢視線断面図である。
【図７】本発明によるラベルを物品に貼り付けた状態を示す斜視図である。
【図８】従来のタグ用値引きシールの正面図である。
【符号の説明】
【００３６】
１…ラベル
２…接着面
３…台紙
３a…表示部側台紙
３b…接着部側台紙
４…表示部
５…接着部
６…境界
７…切り離し線
１０…物品
１１…切り離し線
１２…ラベル基材
１３…台紙用基材
１５…切り離し線
【図１】
2005084390.tif 000003
【図２】
2005084390.tif 000004
【図３】
2005084390.tif 000005
【図４】
2005084390.tif 000006
【図５】
2005084390.tif 000007
【図６】
2005084390.tif 000008
【図７】
2005084390.tif 000009
【図８】
2005084390.tif 000010